(57)【要約】【課題】架構形式を変更せずに木造柱を補強する。【解決手段】コンクリート基礎１２の上に内柱１４が直置きされ、内柱１４の下部に設けられた下側貫通孔１６には下側貫１８が挿入されている。コンクリート基礎１２と下側貫１８の間には下側コンクリート架台２３が設けられ、下側コンクリート架台２３には雌ネジボルト３７が埋め込まれている。下側貫１８の上方からアンカーボルト２６を雌ネジボルト３７にねじ込み、下側貫１８を下側コンクリート架台２３に固定する。下側貫通孔１６と交差して設けられた上側貫通孔２０には、上側貫２２が挿入されている。コンクリート基礎１２と上側貫２２の間には、上側コンクリート架台２９が設けられ、上側コンクリート架台２９には雌ネジボルト３７が埋め込まれている。上側貫２２の上方からアンカーボルト３０を雌ネジボルト３７にねじ込んで、上側貫２２を上側コンクリート架台２９に固定する。【選択図】図１
2012017633.tif 000002
【特許請求の範囲】
【請求項１】
基礎部の上に直置きとされた木造柱の耐震構造において、
前記木造柱の下部に設けられた下側貫通孔を貫通する下側貫と、
前記基礎部と前記下側貫の間に設けられ、前記下側貫を支持する下側支持部材と、
前記下側支持部材と前記下側貫を前記基礎部に固定する下側固定部材と、
前記下側貫通孔と交差して前記下側貫通孔の上に設けられた上側貫通孔を貫通する上側貫と、
前記基礎部と前記上側貫の間に設けられ、前記上側貫を支持する上側支持部材と、
前記上側支持部材と前記上側貫を前記基礎部に固定する上側固定部材と、
を有する木造柱の耐震構造。
【請求項２】
前記木造柱が内柱のときは、前記下側貫の両側を前記下側支持部材で支持して、前記下側固定部材で前記下側貫と前記下側支持部材を前記基礎部に固定し、
前記上側貫の両側を前記上側支持部材で支持して、前記上側固定部材で前記上側貫と前記上側支持部材を前記基礎部に固定する請求項１に記載の木造柱の耐震構造。
【請求項３】
前記木造柱が外柱のときは、前記下側貫の両側を前記下側支持部材で支持して、前記下側固定部材で前記下側貫と前記下側支持部材を前記基礎部に固定し、前記上側貫の内柱側を前記上側支持部材で支持して、前記上側固定部材で前記上側貫と前記上側支持部材を前記基礎部に固定し、
又は、前記上側貫の両側を前記上側支持部材で支持して、前記上側固定部材で前記上側貫と前記上側支持部材を前記基礎部に固定し、前記下側貫の内柱側を前記下側支持部材で支持して、前記下側固定部材で前記下側貫と前記下側支持部材を前記基礎部に固定する請求項１に記載の木造柱の耐震構造。
【請求項４】
前記木造柱が隅柱のときは、前記下側貫の前記外柱側を前記下側支持部材で支持して、前記下側固定部材で前記下側貫と前記下側支持部材を前記基礎部に固定し、前記上側貫の前記外柱側を前記上側支持部材で支持して、前記上側固定部材で前記上側貫と前記上側支持部材を前記基礎部に固定する請求項１に記載の木造柱の耐震構造。
【請求項５】
前記下側貫通孔と前記下側貫との隙間に下側楔を打ち込み、前記上側貫通孔と前記上側貫との隙間に上側楔を打ち込んだ請求項１〜４のいずれか１項に記載の木造柱の耐震構造。
【請求項６】
前記基礎部と前記下側支持部材の重ね合せ面、前記下側支持部材と前記下側貫の重ね合せ面、前記基礎部と前記上側支持部材の重ね合せ面、及び前記上側支持部材と前記上側貫の重ね合せ面には、横方向の滑りを防止する滑り防止手段が設けられている請求項１〜５のいずれか１項に記載の木造柱の耐震構造。
【請求項７】
前記滑り防止手段は、前記重ね合せ面の一方の面に形成された凸部と、他方の面に形成された前記凸部が入る凹部であり、又は前記重ね合せ面の両面に喰い込むジベルである請求項６に記載の木造柱の耐震構造。
【請求項８】
前記下側貫通孔の底面に中央部が凸状の段差部を設け、前記下側貫通孔に挿入される前記下側貫の下面に前記凸状の段差部が挿入される凹部が設けられている請求項１〜７のいずれか１項に記載の木造柱の耐震構造。
【請求項９】
木造柱の下部に下側貫通孔を形成し、前記下側貫通孔に下側貫を貫通させる工程と、
前記木造柱が直置きされた基礎部と前記下側貫の間に下側支持部材を入れ、前記下側貫を前記下側支持部材で支持する工程と、
前記下側支持部材と前記下側貫を、下側固定部材で前記基礎部に固定する工程と、
前記下側貫通孔と交差して、前記下側貫通孔の上に上側貫通孔を形成し、前記上側貫通孔に上側貫を貫通させる工程と、
前記基礎部と前記上側貫の間に上側支持部材を入れ、前記上側貫を前記上側支持部材で支持する工程と、
前記上側支持部材と前記上側貫を、上側固定部材で前記基礎部に固定する工程と、
を有する木造柱の耐震補強方法。
【発明の詳細な説明】
【技術分野】
【０００１】
本発明は、木造柱の耐震構造及び耐震補強方法に関する。
【背景技術】
【０００２】
現在、我国に現存している多くの古い木造建築物は、国宝や重要文化財とされている建造物を含めて、その多くは十分な耐震強度を有していないと推定されており、耐震診断及び耐震補強の実施が急務とされている。
【０００３】
特に歴史的価値の高い社寺建造物では、伝統様式の保存あるいは儀式等の用途上、建物に手を加えにくい場合があり、耐震補強の必要性を認識していても適切な方法が見出せない場合がある。具体的には、壁量が少なく、ほとんど木造柱のみで屋根部分が支持されているような社寺建造物では、その架構形式自体に意味があり、耐震補強の目的であっても自由には壁や筋交等を追加できないことが多い。このため、架構形式を変更せずに木造柱を補強する方法が求められている。
【０００４】
そこで、腐食等で弱化した木造柱の基部を補修して、木造柱を補強する方法が提案されている（特許文献１）。
【０００５】
特許文献１によれば、図１５に示すように、腐食等で弱化した木造柱８２の基部（くつ石８０の上方）に合成樹脂系の接着剤を含浸又は塗布し、そこに無機質繊維８４を被覆し、さらに合成樹脂系の接着剤を塗布し、接着剤が塗布された外周を金属枠体８６で囲う。そして、ボルト８８をこの金属枠体８６と木造柱８２に貫通させ固定する。次に、金属枠体８６で囲われた木造柱８２とくつ石８０を、鉄筋９２と共に基礎部９０として敷設するコンクリートで固める。これによって、木造柱８２が補修され、基礎部９０と木造柱８２が一体的に固定されて耐震性が向上する。
【０００６】
しかし、木造柱８２の腐朽劣化した柱下部分を、接着剤を含浸又は塗布し無機質繊維８４繊維で囲み補強するだけでは、木造柱８２の強度の回復はほとんど期待できない。また、コンクリートを打ち込んで基礎部９０と木造柱８２が一体化されるので、木造柱８２の交換ができなくなる。更に、基礎部９０と木造柱８２が一体化されることで、水分の逃げ場がなくなり、コンクリート内部の空隙に水分が滞留し、木造柱８２の下部に結露による腐朽が発生する。
【０００７】
そこで、木造柱の交換を可能とした補強方法が提案されている（特許文献２）。
特許文献２によれば、図１６に示すように、礎石９４の上部に凸部９６を形成すると共に、木造柱１００の底面に凸部が入る凹部９８を形成し、それら凸部９６と凹部９８を係合させる。これにより木造柱１００が礎石９４に対して回転可能に支持される。また、木造柱１００の下部には、木造柱１００の中心位置から下方に向けてアンカーボルト１０６が突出されている。
【０００８】
アンカーボルト１０６は、礎石９４に形成された貫通孔１０２に挿通され、下端部は基礎１０４に定着されている。アンカーボルト１０６の上端部は、柱下部に埋め込まれた固定金物１０８にねじ込まれている。
【０００９】
しかし、特許文献２は、本来、耐力として傾斜復元力の発現を期待するものであり、柱脚の回転に対する拘束が弱く、現行の強度基準で問題とされる層間変形角１／１２０ラジアンにおける水平抵抗力の向上にはほとんど寄与しない。
【先行技術文献】
【特許文献】
【００１０】
【特許文献１】特開２００２−２８５７０９号公報
【特許文献２】特開２００２−２５６６２８号公報
【発明の概要】
【発明が解決しようとする課題】
【００１１】
本発明は、上記事実に鑑み、架構形式を変更せずに木造柱を補強する木造柱の耐震構造を提供することを目的とする。
【課題を解決するための手段】
【００１２】
請求項１に記載の発明に係る木造柱の耐震構造は、基礎部の上に直置きとされた木造柱の耐震構造において、前記木造柱の下部に設けられた下側貫通孔を貫通する下側貫と、前記基礎部と前記下側貫の間に設けられ、前記下側貫を支持する下側支持部材と、前記下側支持部材と前記下側貫を前記基礎部に固定する下側固定部材と、前記下側貫通孔と交差して前記下側貫通孔の上に設けられた上側貫通孔を貫通する上側貫と、前記基礎部と前記上側貫の間に設けられ、前記上側貫を支持する上側支持部材と、前記上側支持部材と前記上側貫を前記基礎部に固定する上側固定部材と、を有することを特徴としている。
【００１３】
請求項１に記載の発明によれば、下側貫は、下側貫通孔を貫通し下側支持部材で支持されて下側固定部材で基礎部に固定される。上側貫は、上側貫通孔を貫通し上側支持部材で支持されて上側固定部材で基礎部に固定される。そして、十字に通された下側貫と上側貫で木造柱が、２方向に補強される。
これにより、基礎部の上に直置きとされた木造柱の傾きと、上下方向の変位を抑制できる。
【００１４】
即ち、床下において、木造柱の下部を拘束することで補強がなされるため、伝統様式の保存や、儀式等の用途上、人目にふれる床上部に壁や筋交等の部材を新たに加えたくない社寺建造物等の耐震補強に特に有効である。
【００１５】
請求項２の発明は、請求項１に記載の木造柱の耐震構造において、前記木造柱が内柱のときは、前記下側貫の両側を前記下側支持部材で支持して、前記下側固定部材で前記下側貫と前記下側支持部材を前記基礎部に固定し、前記上側貫の両側を前記上側支持部材で支持して、前記上側固定部材で前記上側貫と前記上側支持部材を前記基礎部に固定することを特徴としている。
【００１６】
請求項２に記載の発明によれば、内柱とされた木造柱を、下側貫と上側貫が共に両側から固定されて拘束している。これにより、外部から目立たせることなく、内柱とされた木造柱を床下において、拘束し補強できる。
また、万一、下側貫又は上側貫が腐朽等で傷んだ場合でも、建物本体に影響を及ぼさずに容易に下側貫又は上側貫の交換ができる。解体も容易で、使用部材の再使用も可能である。
【００１７】
請求項３の発明は、請求項１に記載の木造柱の耐震構造において、前記木造柱が外柱のときは、前記下側貫の両側を前記下側支持部材で支持して、前記下側固定部材で前記下側貫と前記下側支持部材を前記基礎部に固定し、前記上側貫の内柱側を前記上側支持部材で支持して、前記上側固定部材で前記上側貫と前記上側支持部材を前記基礎部に固定し、又は、前記上側貫の両側を前記上側支持部材で支持して、前記上側固定部材で前記上側貫と前記上側支持部材を前記基礎部に固定し、前記下側貫の内柱側を前記下側支持部材で支持して、前記下側固定部材で前記下側貫と前記下側支持部材を前記基礎部に固定することを特徴としている。
【００１８】
請求項３に記載の発明によれば、外柱とされた木造柱を、下側貫で両側から固定して上側貫で内柱側を固定する。又は、上側貫で両側から固定して下側貫で内柱側を固定する。これにより、外柱の外側に支持部材や固定部材を設けることなく、外柱を下側貫と上側貫で固定できる。
この結果、支持部材や固定部材を外部から目立たせることなく、外柱の耐震性を向上できる。
【００１９】
請求項４の発明は、請求項１に記載の木造柱の耐震構造において、前記木造柱が隅柱のときは、前記下側貫の前記外柱側を前記下側支持部材で支持して、前記下側固定部材で前記下側貫と前記下側支持部材を前記基礎部に固定し、前記上側貫の前記外柱側を前記上側支持部材で支持して、前記上側固定部材で前記上側貫と前記上側支持部材を前記基礎部に固定することを特徴としている。
【００２０】
請求項４に記載の発明によれば、隅柱とされた木造柱を、下側貫で外柱側から固定し、同時に、上側貫で外柱側から固定している。
これにより、支持部材や固定部材を外部から目立たせることなく、隅柱の耐震性を向上できる。
【００２１】
請求項５の発明は、請求項１〜４のいずれか１項に記載の木造柱の耐震構造において、前記下側貫通孔と前記下側貫との隙間に下側楔を打ち込み、前記上側貫通孔と前記上側貫との隙間に上側楔を打ち込んだことを特徴としている。
【００２２】
請求項５に記載の発明によれば、下側楔が、下側貫通孔と下側貫との隙間に打ち込まれ、上側楔が、上側貫通孔と上側貫との隙間に打ち込まれている。
これにより、下側貫を下側貫通孔に強く固定でき、上側貫を上側貫通孔に強く固定できる。
【００２３】
請求項６の発明は、請求項１〜５のいずれか１項に記載の木造柱の耐震構造において、前記基礎部と前記下側支持部材の重ね合せ面、前記下側支持部材と前記下側貫の重ね合せ面、前記基礎部と前記上側支持部材の重ね合せ面、及び前記上側支持部材と前記上側貫の重ね合せ面には、横方向の滑りを防止する滑り防止手段が設けられていることを特徴としている。
【００２４】
請求項６に記載の発明によれば、横方向の滑りを防止する滑り防止手段が、全ての重ね合せ面、即ち、基礎部と下側支持部材の重ね合せ面、下側支持部材と下側貫の重ね合せ面、基礎部と上側支持部材の重ね合せ面、及び上側支持部材と上側貫の重ね合せ面に設けられている。
これにより、地震時の重ね合せ面における横方向の滑りを防止でき、耐震性をより向上できる。
【００２５】
請求項７に記載の発明は、請求項７に記載の木造柱の耐震構造において、前記滑り防止手段は、前記重ね合せ面の一方の面に形成された凸部と、他方の面に形成された前記凸部が入る凹部であり、又は前記重ね合せ面の両面に喰い込むジベルであることを特徴としている。
【００２６】
請求項７に記載の発明によれば、重ね合せ面の一方の面に形成された凸部と、他方の面に形成された前記凸部が入る凹部で滑りが防止される。又は、重ね合せ面の両面に喰い込むジベルで滑りが防止される。この結果、耐震性をより向上できる。
【００２７】
請求項８に記載の発明は、請求項１〜７のいずれか１項に記載の木造柱の耐震構造において、前記下側貫通孔の底面に中央部が凸状の段差部を設け、前記下側貫通孔に挿入される前記下側貫の下面に前記凸状の段差部が挿入される凹部が設けられていることを特徴としている。
即ち、下側貫通孔の底面と下側貫の下面の間に掛け子彫りが形成されている。これにより、下側貫通孔の底面と下側貫の下面の接合を強くできる。
【００２８】
請求項９に記載の発明に係る木造柱の耐震補強方法は、木造柱の下部に下側貫通孔を形成し、前記下側貫通孔に下側貫を貫通させる工程と、前記木造柱が直置きされた基礎部と前記下側貫の間に下側支持部材を入れ、前記下側貫を前記下側支持部材で支持する工程と、前記下側支持部材と前記下側貫を、下側固定部材で前記基礎部に固定する工程と、前記下側貫通孔と交差して、前記下側貫通孔の上に上側貫通孔を形成し、前記上側貫通孔に上側貫を貫通させる工程と、前記基礎部と前記上側貫の間に上側支持部材を入れ、前記上側貫を前記上側支持部材で支持する工程と、前記上側支持部材と前記上側貫を、上側固定部材で前記基礎部に固定する工程と、を有することを特徴としている。
【００２９】
請求項９に記載の発明によれば、下側貫通孔工程、下側貫支持工程、下側貫固定工程を経て、木造柱の下部に形成された下側貫通孔を貫通させた下側貫が基礎部に固定される。また、上側貫通孔工程、上側貫支持工程、上側貫固定工程を経て、上側貫通孔を貫通させた上側貫が基礎部に固定される。
【００３０】
これにより、十字に通された下側貫と上側貫で木造柱が補強され、基礎部の上に直置きとされた木造柱の傾きと、上下方向の変位を抑制できる。
【発明の効果】
【００３１】
本発明は、上記構成としてあるので、架構形式を変更せずに木造柱を補強できる。
【図面の簡単な説明】
【００３２】
【図１】本発明の第１の実施の形態に係る木造柱の耐震構造の基本構成を示す図である。
【図２】本発明の第１の実施の形態に係る木造柱の耐震構造で使用する接合部材例を示す図である。
【図３】本発明の第１の実施の形態に係る木造柱の耐震構造の他の構成例を示す図である。
【図４】本発明の第２の実施の形態に係る木造柱の耐震補強方法の施工手順を示すフロー図である。
【図５】本発明の第２の実施の形態に係る木造柱の耐震補強方法の施工内容を示す図である。
【図６】本発明の第２の実施の形態に係る木造柱の耐震補強方法の施工内容を示す図である。
【図７】本発明の第２の実施の形態に係る木造柱の耐震補強方法の施工内容を示す図である。
【図８】本発明の第３の実施の形態に係る木造柱の耐震構造の基本構成を示す図である。
【図９】本発明の第３の実施の形態に係る木造柱の耐震構造の他の構成例を示す図である。
【図１０】本発明の第３の実施の形態に係る木造柱の耐震構造の他の構成例を示す図である。
【図１１】本発明の第４の実施の形態に係る木造柱の耐震構造の基本構成を示す図である。
【図１２】本発明の第４の実施の形態に係る木造柱の耐震構造の基本構成を示す図である。
【図１３】本発明の第５の実施の形態に係る木造柱の耐震構造の基本構成を示す図である。
【図１４】本発明の第５の実施の形態に係る木造柱の耐震構造の基本構成を示す図である。
【図１５】従来例の木造柱の耐震構造の基本構成を示す図である。
【図１６】従来例の木造柱の耐震構造の基本構成を示す図である。
【発明を実施するための形態】
【００３３】
（第１の実施の形態）
図１は、第１の実施の形態に係る木造柱の耐震構造１０の断面図である。図１（Ａ）は、図１（Ｂ）のＡ−Ａ線断面図であり、図１（Ｂ）は、図１（Ａ）のＢ−Ｂ線断面図である。
【００３４】
図１に示すように、第１の実施の形態に係る木造柱の耐震構造１０は、地盤３２に一部が埋め込まれたコンクリート基礎１２が設けられ、コンクリート基礎１２の上に図示しない建物が建てられ、建物の内部に設けられた木造の内柱１４が直置きとされている。
【００３５】
コンクリート基礎１２はコンクリートで板状に形成され、内柱１４の下部に設けられた下側貫通孔１６には、木造の下側貫１８が、両端部を内柱１４の外側に所定の長さ突き出した状態で挿入されている。
【００３６】
コンクリート基礎１２と下側貫１８の間には、内柱１４の両側に、下側貫１８を支持する下側コンクリート架台２３が設けられている。下側コンクリート架台２３は、コンクリート基礎１２と一体的に形成され、上部には、雌ネジボルト３７が鉛直方向に埋め込まれている。図２（Ａ）に示すように、雌ネジボルト３７は、内部に雌ネジが切られたボルトである。下側コンクリート架台２３に埋め込まれた雌ネジボルト３７の内部には、下側貫１８の上から下側貫１８を貫通させてアンカーボルト２６がねじ込まれ、下側貫１８が下側コンクリート架台２３にボルト接合される。
【００３７】
下側コンクリート架台２３の上面は、下側貫１８の下面と当接する高さとされ、下側コンクリート架台２３の上面で下側貫１８を支持する。下側コンクリート架台２３の上面と下側貫１８の下面との間には、ジベル３９が挟み込まれている。ジベル３９は、図２（Ｂ）又は（Ｃ）に例示するように、リング状の鋼製の滑り止め具であり、雌ネジボルト３７を囲んで接合面に挟み込まれることにより、下側コンクリート架台２３と下側貫１８の間の横方向の移動を抑制する。
【００３８】
下側貫通孔１６の底面には、中央部に凸状の段差部４５が設けられている。また、下側貫１８の下面には、凸状の段差部４５と係合される凹部４７が設けられている（後述する図６参照）。これにより、下側貫通孔１６の底面と下側貫１８の下面の間に掛け子彫りが形成される。また、下側貫通孔１６の上面と下側貫１８の上面の間には、下側楔３４が両側から打ち込まれている。これらにより、下側貫通孔１６と下側貫１８の接合を強くできる。
【００３９】
下側貫通孔１６と交差して、下側貫通孔１６の上には上側貫通孔２０が設けられている。上側貫通孔２０には、木造の上側貫２２が、両端部を内柱１４の外側に所定の長さ突き出した状態で挿入されている。
【００４０】
コンクリート基礎１２と上側貫２２の間には、内柱１４の両側に、上側貫２２を支持する上側コンクリート架台２９が設けられている。上側コンクリート架台２９は、コンクリート基礎１２と一体的にコンクリートで形成され、上部には、雌ネジボルト３７が鉛直方向に埋め込まれている。雌ネジボルト３７の内部には、上側貫２２の上から上側貫２２を貫通させたアンカーボルト３０がねじ込まれ、上側貫２２が上側コンクリート架台２９にボルト接合される。
【００４１】
上側コンクリート架台２９の上面は、上側貫２２の下面と当接する高さとされ、上側コンクリート架台２９の上面で上側貫２２を支持する。上側コンクリート架台２９の上面と上側貫２２の下面との間には、ジベル３９が挟み込まれ横方向の移動が抑制される。
【００４２】
また、上側貫通孔２０の上面と上側貫２２の上面の間には、両側から上側楔３６が打ち込まれ、内柱１４と上側貫２２を強く接合している。
【００４３】
内柱１４の上側貫２２の上方には梁３８が架けられ、梁３８の上には床材４１が敷かれて床４０を構成している。即ち、床下空間４２において、内柱１４の下部に下側貫１８と上側貫２２が交差して設けられ、内柱１４を補強している。
【００４４】
これにより、コンクリート基礎１２の上に直置きとされた内柱１４が、平面視で十字に通された下側貫１８と上側貫２２で２方向から補強され、地震時の内柱１４の傾きと上下方向の変位が抑制される。
【００４５】
また、床下空間４２において、内柱１４の下部を拘束することで補強がなされるため、外部から目立たせることなく補強できる。このため、伝統様式の保存や儀式等の用途上、人目にふれる床上部に壁や筋交等の部材を新たに加えたくない社寺建造物等の耐震補強に有効である。
【００４６】
また、万一、木造の下側貫１８又は上側貫２２が腐朽等で傷んだ場合でも、建物本体に影響を及ぼさずに容易に下側貫１８又は上側貫２２の交換ができる。解体も容易で、使用部材の再使用も可能である。
【００４７】
なお、以上の説明において、下側コンクリート架台２３及び上側コンクリート架台２９は、コンクリート基礎１２と一体的に形成される構成としたが、別体で構成してもよい。
即ち、図３に示すように、コンクリート基礎１２と下側貫１８の間に、コンクリート基礎１２と別個に形成された下側支持ブロック２４を配置して、内柱１４の両側から下側貫１８を支持してもよい。
【００４８】
具体的には、先ず、コンクリート基礎１２に下側支持ブロック２４を固定するためのアンカーボルト７３の先端を埋め込んでおき、コンクリート基礎１２の打設後に雌ネジボルト３７を位置決めする。その後、下側支持ブロック２４をコンクリート基礎１２の上に打設して、コンクリート基礎１２から突出されたアンカーボルト７３と雌ネジボルト３７を、下側支持ブロック２４の内部に埋め込む。このとき、雌ネジボルト３７の上端部には、下側貫１８と接合されるジベル３９の下側半分を埋め込んでおく。
これにより、下側貫１８を下側支持ブロック２４の上面で支持した状態で、アンカーボルト２６で固定できる。
【００４９】
同様の要領で、コンクリート基礎１２の上に別個に上側支持ブロック２８を打設して、上側貫２２を支持させる。これにより、上側支持ブロック２８がアンカーボルト７３でコンクリート基礎１２に固定される。また、上側貫２２が上側支持ブロック２８で支持された状態で、アンカーボルト３０を、上側貫２２を貫通させて上側支持ブロック２８に埋め込まれた雌ネジボルト３７にねじ込むことで、上側貫２２が上側支持ブロック２８に固定される。
このように、コンクリート基礎１２と下側コンクリート架台２３及び上側コンクリート架台２９を別体で形成しても、下側コンクリート架台２３及び上側コンクリート架台２９を、コンクリート基礎１２と一体的に形成した場合と同様の作用、効果を得ることができる。
【００５０】
（第２の実施の形態）
第２の実施の形態は、第１の実施の形態で説明した内柱１４を耐震補強する、耐震補強方法である。耐震補強方法は、図４に示す手順で行われる。
【００５１】
先ず、下側貫貫通工程１１０を実行する。図５に示ように、下側貫貫通工程１１０においては、平板状のコンクリート基礎１２と、コンクリート基礎１２から突出させた２個の下側コンクリート架台２３、及び２個の上側コンクリート架台２９を一体的に形成する。
また、コンクリート基礎１２で支持される内柱１４の中心位置には、コンクリート又は木造の凸部４４を設ける。
【００５２】
下側コンクリート架台２３は、凸部４４を挟んで、凸部４４の両側にＸ軸方向に形成され、下側コンクリート架台２３には、それぞれ雌ネジボルト３７が埋設されている。そして、下側コンクリート架台２３の上面であり雌ネジボルト３７の周囲には、ジベル３９が下側半分だけ埋設されている。
【００５３】
上側コンクリート架台２９も同様に、凸部４４を挟んで、凸部４４の両側にＹ軸方向に形成され、上側コンクリート架台２９には、それぞれ雌ネジボルト３７が埋設されている。そして、上側コンクリート架台２９の上面であり雌ネジボルト３７の周囲には、ジベル３９が下側半分だけ埋設されている。
以上の基礎が準備できた段階で、図６に示ように、凸部４４と、内柱１４の底面の中心に設けられた凹部を一致させて、内柱１４を建てる。これにより、水平力による内柱１４とコンクリート基礎１２の間の滑りが防止される。
【００５４】
内柱１４の下部には、内柱１４を建てる前に別の場所で、Ｘ軸方向に下側貫通孔１６が、Ｙ軸方向に後述する上側貫通孔２０が、それぞれ設けられている。この下側貫通孔１６に、木造の下側貫１８を矢印Ｐの方向から挿入する。下側貫１８には、雌ネジボルト３７の位置にアンカーボルト２６を貫通させる貫通孔５９が設けられており、下側貫１８の底面の貫通孔５９の周囲には、ジベル３９が当接される溝が設けられている。また、下側貫１８の中央部の底面には、内柱１４の凸部４５と係合する凹部４７が設けられている。
下側貫１８の幅ｄ１は、下側コンクリート架台２３の幅ｄ２より小さくされている。下側貫１８の両端部は、ほぼ同じ長さで内柱１４の側面から外部に延出され、下側コンクリート架台２３の上面で支持される。
なお、下側貫通孔１６と上側貫通孔２０は、内柱１４を建てた後に設けてもよい。
【００５５】
次に、下側貫支持工程１１２を実行する。下側貫支持工程１１２は、下側貫通孔１６の下面に形成された凸状の段差部４５と、下側貫１８の凹部４７を一致させた後、下側貫１８を下方に落とし込んで、凸状の段差部４５と下側貫１８の凹部４７を係合させる。このとき、下側コンクリート架台２３の上面に下側貫１８の下面が載せられる。
【００５６】
次に、下側貫固定工程１１４を実行する。下側貫固定工程１１４は、アンカーボルト２６を上側貫１８の上方から、貫通孔５９を貫通させて雌ネジボルト３７にねじ込む。そして、上側貫１８の上方から抑え板７６を用いて、ワッシャ７７、ナット７８で下側貫１８と下側コンクリート架台２３をアンカーボルト２６で固定する。
その後、下側貫通孔１６と下側貫１８の間に、木造柱１４の両側から下側楔３４を打ち込む。これにより、内柱１４と下側貫１８を強く固定できる。
【００５７】
次に、上側貫貫通工程１１６を実行する。図７に示すように、上側貫貫通工程１１６は、下側貫通孔１６の上方に、下側貫通孔１６と交差する方向に形成された上側貫通孔２０に、木造の上側貫２２を挿入する。上側貫２２には、雌ネジボルト３７の位置にアンカーボルト２６を貫通させる貫通孔５９が設けられている。
【００５８】
上側貫２２の幅ｄ３は、上側コンクリート架台２９の幅ｄ３より小さくされている。上側貫２２の両端部は、内柱１４の側面からほぼ同じ長さだけ外部に延出され、上側コンクリート架台２９の上面で支持される。
【００５９】
次に、上側貫支持工程１１８を実行する。上側貫支持工程１１８は、上側貫通孔２０に上側貫２２を挿入し、貫通孔５９と雌ネジボルト３７の位置を一致させて上側コンクリート架台２９の上面に下側貫１８の下面を載せる。
【００６０】
最後に、上側貫固定工程１２０を実行する。上側貫固定工程１２０は、上側貫２２の上方から、アンカーボルト２６を貫通孔５９に挿入し雌ネジボルト３７にねじ込む。その後、抑え板７５を載せ、ワッシャ７７とナット７８で上側コンクリート架台２９に上側貫２２を固定する。
【００６１】
その後、上側貫通孔２０と上側貫２２の間に、内柱１４の両側から上側楔３６を打ち込む。これにより、コンクリート基礎１２の上に直置きとされた内柱１４をＹ軸方向に補強できる。
【００６２】
なお、第１の実施の形態に係る木造柱の耐震構造１０について説明したが、後述する第３の実施の形態に係る木造柱の耐震構造１２６、第４の実施の形態に係る木造柱の耐震構造５０、及び第５の実施の形態に係る木造柱の耐震構造６０も、基本的には同じ手順で耐震補強できる。
【００６３】
（第３の実施の形態）
図８に示すように、第３の実施の形態に係る木造柱の耐震構造１２６は、下側貫１８を下側鋼製架台１２８で支持している。下側鋼製架台１２８は、所定長で切断されたＨ形鋼の両端部に鋼板を接合した構成とされ、下部のフランジがコンクリート基礎１２にアンカーボルト１３４で接合され、上部のフランジが下側貫１８とアンカーボルト１３６で接合されている。
また、下側鋼製架台１２８の上部フランジの上には、内柱１４から遠い側の端部に滑り止め材１４１が取り付けられている。この滑り止め材１４１には、下側貫１８の両端部の下部に設けられた切り欠き部が当接しており、下側貫１８が下側貫通孔１６から抜け出るのを防止する。
【００６４】
同様に、上側貫２２が上側鋼製架台１３２で支持されている。上側鋼製架台１３２は、所定長で切断されたＨ形鋼の両端部に鋼板を接合した構成とされ、下部のフランジがコンクリート基礎１２にアンカーボルト１３４で接合され、上部のフランジが上側貫２２とアンカーボルト１３６で接合されている。
また、上側鋼製架台１３２の上部フランジの上には、内柱１４から遠い側の端部に滑り止め材１４１が取り付けられている。この滑り止め材１４１には、上側貫２２の両端部の下部に設けられた切り欠き部が当接しており、上下側貫２２が上側貫通孔２０から抜け出るのを防止する。
【００６５】
また、下側貫１８と上側貫２２の交差部は、下側貫１８の上部の切欠き部と上側貫２２の上部の切欠き部が互いに噛み合う相欠き構成とされている（図示は省略）。更に、上側貫２２の上には、内柱１４の両側から楔３６が打ち込まれ、楔３６と交差する方向には、上側貫２２の柱に対する水平方向の滑りを拘束する木栓１３８が挿入されている。他の構成は、第１の実施の形態に係る木造柱の耐震構造１０と同一であり、説明は省略する。
これにより、第１の実施の形態に係る木造柱の耐震構造１０で説明した作用、効果に加え、より耐震強度を高めることができる。
【００６６】
なお、更に耐震強度を高める手段としては、次の方法がある。
図９に示すように、上側貫２２の上に打ち込む楔３６を、ワイヤロープ１４４で互いに連結して抜けなくした、ワイヤロープ付の楔３６としてもよい。これにより、内柱１４と上側貫２２の接合を強くすることができる。
【００６７】
更に、図１０（Ａ）に示すように、コンクリート基礎１２側の凸部（ダボ）４４を金属製として強度を増し、図１０（Ｂ）に示すように、内柱１４の底に金属板１４６をラグスクリュー１４８で取り付け、金属板１４６の中央部にダボ４４と係合する凹部４６を設けてもよい。これにより、コンクリート基礎１２と内柱１４の接合をより強くすることができる。
【００６８】
（第４の実施の形態）
図１１、１２に示すように、第４の実施の形態に係る木造柱の耐震構造５０は、地盤３２にコンクリート基礎１２の一部が埋め込まれている。コンクリート基礎１２の上に、建物の外周部に設けられた木造の外柱４８が直置きとされている。
【００６９】
外柱４８の室内側（内柱１４側）には、梁３８が架けられ、梁３８には床材４１が敷かれて床４０を構成している。一方、外柱４８の室外側には縁束５３が建てられ、外柱４８と縁束５３の間に縁板５１が渡され、縁５２が設けられている。床下空間４２及び縁下空間５４には、外柱４８を下部で支持する下側貫１８と上側貫２２が設けられている。
【００７０】
外柱４８の下部には、Ｘ軸方向に下側貫通孔１６が設けられ、下側貫通孔１６には、下側貫１８が挿入されている。下側貫１８の両端部は、外柱４８から延出されており、延出量は、縁５２側が短く、床４０側が長くされている。下側貫１８の長くされた側には、貫通孔が２箇所設けられている。
【００７１】
床４０側のコンクリート基礎１２と下側貫１８の間には、下側コンクリート架台１４０がコンクリート基礎１２と一体的に設けられ、下側貫１８が下側コンクリート架台１４０で支持されている。
【００７２】
下側コンクリート架台１４０には、雌ネジボルト３７が２箇所埋め込まれ、雌ネジボルト３７と貫通孔を一致させている。下側貫１８の上からアンカーボルト２６を挿入し、雌ネジボルト３７にねじ込む。これにより、下側コンクリート架台１４０に下側貫１８をアンカーボルト２６で固定できる。一方、縁５２側には、下側コンクリート架台１４０は設けられていない。
この結果、外柱４８の屋外側に支持部材や固定部材を設けることなく、下側貫１８を床４０側で固定できる。
【００７３】
同様に、上側貫２２は、両側を上側コンクリート架台１４２で支持され、上側コンクリート架台１４２に埋め込まれた雌ネジボルト３７を利用して、アンカーボルト３０で、外柱４８の両側から固定される。
【００７４】
なお、図１２（Ｂ）に示すように、外柱４８のＹ軸と交差する側に縁５２がある場合には、上側コンクリート架台１４２を床４０側に配置し、雌ネジボルト３７を２箇所とも床４０に埋め込む。そして、上側貫２２を、床４０側の２ヶ所でアンカーボルト３０を用いて、上側コンクリート架台１４２に固定すればよい。
【００７５】
そして、下側貫１８は、外柱４８の両側から下側コンクリート架台１４０で支持し、下側コンクリート架台１４０に埋め込まれた雌ネジボルト３７にアンカーボルト２６をねじ込んで、下側コンクリート架台１４０に固定する。
他は、第１の実施の形態と同じであり、説明は省略する。
【００７６】
これにより、支持部材や固定部材を外から目立たせることなく、外柱４８を下側貫１８と上側貫で固定でき、外柱４８の耐震性を向上できる。
なお、以上の説明において、下側コンクリート架台２３及び上側コンクリート架台２９は、コンクリート基礎１２と一体的に形成される構成としたが、別体で構成してもよい。
【００７７】
即ち、図示は省略するが、図１１に示す下側コンクリート架台１４０、及び上側コンクリート架台１４２に対応するコンクリート架台を別体で構成してもよい。即ち、第１の実施の形態において図３で説明したように、それぞれのコンクリート架台をアンカーボルト７３でコンクリート基礎１２に固定し、それぞれのコンクリート架台に埋め込まれた雌ネジボルト３７を利用して下側貫１８、及び上側貫２２とアンカーボルト２６、３０で固定すればよい。
【００７８】
（第５の実施の形態）
図１３、１４に示すように、第５の実施の形態に係る木造柱の耐震構造６０は、地盤３２にコンクリート基礎１２の一部が埋め込まれている。コンクリート基礎１２の上には、建物の外周部の隅部に設けられた木造の隅柱６２が直置きとされている。
【００７９】
隅柱６２の室内側（外柱４８側）には、梁３８が架けられ、梁３８には床材４１が敷かれて床４０を構成している。一方、隅柱６２の室外側には縁束５３が建てられ、隅柱６２と縁束５３の間に縁板５１が渡され、縁５２が設けられている。床下空間４２及び縁下空間５４には、隅柱６２の下部に下側貫１８と上側貫２２が設けられている。
【００８０】
隅柱６２の下部には、Ｘ軸方向に下側貫通孔１６が設けられ、下側貫通孔１６には、下側貫１８が挿入されている。下側貫１８の両端部は外柱４８から突出されている。突出量は縁５２側が短く、外柱４８側が長くされている。下側貫１８の長くされた側には、貫通孔が２箇所設けられている。
【００８１】
そして、下側貫１８の外柱４８側には、下側支持ブロック２５がコンクリート基礎１２と別体に設けられ、下側支持ブロック２５の上面で、下側貫１８を支持している。このとき、コンクリート基礎１２と下側支持ブロック２５は、アンカーボルト７３で固定されている。
また、下側支持ブロック２５には、雌ネジボルト３７及びジベル３９の下側半分が埋め込まれており、アンカーボルト２６を雌ネジボルト３７にねじ込むことで、下側貫１８を下側支持ブロック２５に固定できる。
【００８２】
また、上側貫２２の両端部も隅柱６２から突出されている。突出量は縁５２側が短く、外柱４８側が長くされている。上側貫２２の長くされた側には、貫通孔が２箇所設けられている。
上側貫２２の外柱４８側には、上側支持ブロック２８がコンクリート基礎１２と別体に設けられ、上側支持ブロック２８の上面で上側貫２２を支持している。このとき、コンクリート基礎１２と上側支持ブロック２８は、アンカーボルト７３で固定されている。
また、上側支持ブロック２８には、雌ネジボルト３７及びジベル３９の下側半分が埋め込まれており、アンカーボルト３０を雌ネジボルト３７にねじ込むことで、上側貫２２を上側支持ブロック２８に固定できる。
【００８３】
これにより、支持部材や固定部材を外から目立たせることなく、隅柱６２を下側貫１８と上側貫２２で固定でき、隅柱６２の耐震性を向上できる。
【００８４】
なお、以上の説明は、コンクリート基礎１２と一体に構成された、下側支持ブロック２５、上側支持ブロック２８を用いて説明したが、他の実施の形態で説明したように、下側コンクリート架台２３と上側コンクリート架台２９を、コンクリート基礎１２と別体的に構成してもよい。
【符号の説明】
【００８５】
１０  木造柱の耐震構造
１２  コンクリート基礎（基礎部）
１４  内柱（木造柱）
１６  下側貫通孔
１８  下側貫
２０  上側貫通孔
２２  上側貫
２３  下側コンクリート架台（下側支持部材）
２４  下側支持ブロック（下側支持部材）
２６  下側アンカー（下側固定部材）
２８  上側支持ブロック（上側支持部材）
２９  下側コンクリート架台（上側支持部材）
３０  上側アンカー（上側固定部材）
３４  下側楔
３６  上側楔
４５  凸状の段差部
４７  凹部
４８  外柱（木造柱）
６２  隅柱（木造柱）
【図１】
2012017633.tif 000003
【図２】
2012017633.tif 000004
【図３】
2012017633.tif 000005
【図４】
2012017633.tif 000006
【図５】
2012017633.tif 000007
【図６】
2012017633.tif 000008
【図７】
2012017633.tif 000009
【図８】
2012017633.tif 000010
【図９】
2012017633.tif 000011
【図１０】
2012017633.tif 000012
【図１１】
2012017633.tif 000013
【図１２】
2012017633.tif 000014
【図１３】
2012017633.tif 000015
【図１４】
2012017633.tif 000016
【図１５】
2012017633.tif 000017
【図１６】
2012017633.tif 000018